(57)【要約】【課題】本体重量が軽く水に沈むことが無く、定期的に交換が必要な乾電池を用いないために長期保存が可能であり、且つラジオ局の同調周波数が確認可能で、使用時に同調周波数の確認がしやすい防災備蓄用のラジオ受信装置を提供することを課題とする。【解決手段】防水性が高い材料を使用して密封構造とした筐体１の内部にアンテナと、ラジオ受信回路９とディスプレイ制御回路１０と、それらの回路の電源となる電池パッケージ３３と、スピーカーとを備え、筐体の外部には、同調周波数を表示するディスプレイ３と、周波数を選択するための選局用スイッチ４と、スピーカーの音量を調節するための音量調節用スイッチ５と、を備えているラジオ受信装置において、ラジオ受信装置全体としての比重が１以下になるように筐体の内部に空間を備え、電池パッケージは空気電池である防災備蓄用のラジオ受信装置。【選択図】図２
2017069798.tif 000002
【特許請求の範囲】
【請求項１】
防水性が高い材料を使用して密封構造とした筐体の内部に、
ラジオ放送の電波を受信するためのアンテナと、
アンテナで受信した高周波信号の中から受信したいラジオ放送局の周波数に同調させるための同調回路と、同調回路から出力されたラジオ放送局の周波数に同調した高周波信号を整流し音声信号に変換するための検波回路と、検波回路から出力された音声信号を増幅するための増幅回路とを備えてなるラジオ受信回路と、
増幅回路から出力された音声信号を音声に変換するためのスピーカーと、
ラジオ受信回路が受信中の周波数を表示するためのディスプレイを駆動するためのディスプレイ制御回路と、
ラジオ受信回路とディスプレイ制御回路の電源である電池パッケージとを備え、
筐体の外部には、前記ディスプレイと、
同調回路が同調するラジオ放送局の周波数を選択するための選局用スイッチと、
前記スピーカーの音量を調節するための音量調節スイッチと、を備えているラジオ受信装置において、
筐体の内部は、ラジオ受信装置全体として比重が１未満になるように筐体の内部に空間を備えており、
電池パッケージは、自然放電することがない空気電池であることを特徴とするラジオ受信装置。
【請求項２】
前記筐体が円筒形キャビネットであり、その円筒形キャビネットは、その一方の開口部に備えられた上蓋と、他方の開口部に備えられた底蓋によって密封されており、
前記アンテナは、フェライトバーアンテナであり、
前記電池パッケージは、空気電池であり、
前記スピーカーは、底蓋に備えられたフィルムスピーカーであり、
上蓋には、電池パッケージの正極に筐体外部から空気を供給するための通気孔と、電池パッケージの液室に液体を注入するための上蓋の開口部が形成されており、且つそれらを封止する蓋によって開封可能に密封されており、
円筒形キャビネットの側曲面には、ディスプレイと選局用スイッチと音量調節用スイッチとが備えられていることを特徴とする請求項１に記載のラジオ受信装置。
【請求項３】
前記電池パッケージは、亜鉛、アルミニウム、マグネシウム、リチウムまたはこれらのいずれかを含む合金からなる負極材と、導電性材料からなる正極材と、これら負極材と正極材に挟まれたセパレーターで構成された空気電池を収納した電池室と液室と、から構成されており、
電池室の一端は、セパレーターが延在する液室に通じており、他端は、空気電池から延在する配線を挟んでシールされており、また電池室の正極に面した部分は酸素が透過可能な気体透過性の膜によって形成されており、
液室には、塩化ナトリウムまたは炭酸水素ナトリウム塩が内包されていることを特徴とする請求項２に記載のラジオ受信装置。
【請求項４】
前記ディスプレイは、ポリイミド、ＰＥＮ、ＰＥＴのいずれかの基材に金属箔または導電性材料で文字や図形の電極パターンを形成した背面板を備え、反射型表示体を前面板とした可撓性のあるディスプレイであることを特徴とする請求項１〜３のいずれかに記載のラジオ受信装置。
【発明の詳細な説明】
【技術分野】
【０００１】
本発明は、防災備蓄用のラジオ受信装置に関する。
【背景技術】
【０００２】
大地震などの大規模災害時における有用な情報伝達手段の一つとしてラジオ放送がある。ラジオ放送は送信側と受信側が１対多の関係となっているため、同一の情報を多数に同時に送ることができる。
【０００３】
この有用性が発揮されるためには、ラジオ受信装置が広く普及しており且つ電池切れなどを起こしておらず受信できる状態となっていることが前提となる。
【０００４】
防災備蓄用のラジオ受信装置としては乾電池式のものが一般的であるが、乾電池は未使用状態で保管していても自然放電によって起電力が失われてしまう問題があり、定期的に備蓄品の乾電池を新しいものに交換しておく必要が生ずる。
【０００５】
そこで、乾電池を用いずに使用できる防災備蓄用のラジオ受信装置として、太陽電池を搭載したものやダイナモを搭載することで手回しによる発電を可能とした手回し充電ラジオなどがある（例えば特許文献１参照）。
【０００６】
しかしながら、太陽電池の場合には停電時や夜間など発電に十分な光量を得られない場合には使用できず、手回し充電ラジオの場合には可動部品があることから頑丈に作る必要があり本体重量が重たくなってしまう。
【０００７】
本体重量が重たくなると非難時の携帯性が低下するとともに、水害などの際には本体が水に沈んでしまう虞がある。
【０００８】
また、ラジオ放送を受信しようとした場合に、ラジオ局の同調周波数が確認できないラジオであるために十分に同調していない状態で受信することになり、ラジオ放送を悪い音質で受信することになりがちであった。
【先行技術文献】
【特許文献】
【０００９】
【特許文献１】特開平１１−７５３４４号公報
【発明の概要】
【発明が解決しようとする課題】
【００１０】
上記の問題点に鑑み、本発明は、本体重量が軽く水に沈むことが無く、水に濡れても使用でき、定期的に交換が必要な乾電池を用いないために長期保存が可能であり、且つラジオ局の同調周波数が確認可能な防災備蓄用のラジオ受信装置を提供することを課題とする。
【００１１】
本発明の他の課題は、使用時に同調周波数の確認がしやすい防災備蓄用のラジオ受信装置を提供することである。
【課題を解決するための手段】
【００１２】
上記の課題を解決する手段として、請求項１に記載の発明は、筐体の内部に、
ラジオ放送の電波を受信するためのアンテナと、
アンテナで受信した高周波信号の中から受信したいラジオ放送局の周波数に同調させるための同調回路と、同調回路から出力されたラジオ放送局の周波数に同調した高周波信号を整流し音声信号に変換するための検波回路と、検波回路から出力された音声信号を増幅するための増幅回路とを備えてなるラジオ受信回路と、
増幅回路から出力された音声信号を音声に変換するためのスピーカーと、
ラジオ受信回路が受信中の周波数を表示するためのディスプレイを駆動するためのディスプレイ制御回路と、
ラジオ受信回路とディスプレイ制御回路の電源である電池パッケージとを備え、
筐体の外部には、前記ディスプレイと、
同調回路が同調するラジオ放送局の周波数を選択するための選局用スイッチと、
前記スピーカーの音量を調節するための音量調節スイッチと、を備えているラジオ受信装置において、
筐体の内部は、ラジオ受信装置全体として比重が１未満になるように筐体の内部に空間を備えており、
電池パッケージは、自然放電することがない空気電池であることを特徴とするラジオ受信装置である。
【００１３】
また、請求項２に記載の発明は、前記筐体が円筒形キャビネットであり、その円筒形キャビネットは、その一方の開口部に備えられた上蓋と、他方の開口部に備えられた底蓋によって密封されており、
前記アンテナは、フェライトバーアンテナであり、
前記電池パッケージは、空気電池であり、
前記スピーカーは、底蓋に備えられたフィルムスピーカーであり、
上蓋には、電池パッケージの正極に筐体外部から空気を供給するための通気孔と、電池パッケージの液室に液体を注入するための上蓋の開口部が形成されており、且つそれらを封止する蓋によって開封可能に密封されており、
円筒形キャビネットの側曲面には、ディスプレイと選局用スイッチと音量調節用スイッチとが備えられていることを特徴とする請求項１に記載のラジオ受信装置である。
【００１４】
また、請求項３に記載の発明は、前記電池パッケージは、亜鉛、アルミニウム、マグネシウム、リチウムまたはこれらのいずれかを含む合金からなる負極材と、導電性材料からなる正極材と、これら負極材と正極材に挟まれたセパレーターで構成された空気電池を収納した電池室と液室と、から構成されており、
電池室の一端は、セパレーターが延在する液室に通じており、他端は、空気電池から延在する配線を挟んでシールされており、また電池室の正極に面した部分は酸素が透過可能な気体透過性の膜によって形成されており、
液室には、塩化ナトリウムまたは炭酸水素ナトリウム塩が内包されていることを特徴とする請求項２に記載のラジオ受信装置である。
【００１５】
また、請求項４に記載の発明は、前記ディスプレイは、ポリイミド、ＰＥＮ、ＰＥＴのいずれかの基材に金属箔または導電性材料で文字や図形の電極パターンを形成した背面板を備え、反射型表示体を前面板とした可撓性のあるディスプレイであることを特徴とする請求項１〜３のいずれかに記載のラジオ受信装置である。
【発明の効果】
【００１６】
上述のように本発明に係るラジオ受信装置は、樹脂フィルムや紙などの基材からなるキャビネットの底蓋にフィルムスピーカーを配置し、キャビネットの側曲面に同調周波数表示用のディスプレイと選局用スイッチおよび音量調節用スイッチを配置し、キャビネット内部の空間に空気電池が封入された電池パッケージとラジオ受信回路とアンテナが配置された構成とすることで、キャビネットの体積に対して重量を十分小さくすることにより比重が１よりも小さくなることで水害時においても水に沈むことが無い。また高い防水性を備えているため、水没などによって水に濡れても使用可能である。
【００１７】
また、空気電池を用いることで、防災用として長期間備蓄しておいても自己放電による電池の消耗が起こらず、さらに塩が封入されていることで、水を注入するだけで直に電池反応が開始しラジオを受信することができる。
【００１８】
また、反射型表示体をディスプレイとして用いることでキャビネットの外面に同調周波数の表示が可能となり、使用時に選局し易くなる。
【図面の簡単な説明】
【００１９】
【図１】本発明のラジオ受信装置の一例を示す斜視図である。
【図２】本発明のラジオ受信装置の図１におけるＡ〜Ａ´線縦断面図である。
【図３】本発明のラジオ受信装置のディスプレイの一例を示す断面図である。
【図４】本発明のラジオ受信装置の回路構成の一例を示すブロック回路図である。
【発明を実施するための形態】
【００２０】
以下、本発明の実施形態に係るラジオ受信装置について、添付図面を参照しながら具体的に説明する。
【００２１】
＜ラジオ受信装置全体＞
本発明のラジオ受信装置は、防水性が高い材料を使用して密封構造とした筐体の内部に、ラジオ放送の電波を受信するためのアンテナと、アンテナで受信した高周波信号の中から受信したいラジオ放送局の周波数に同調させるための同調回路と同調回路から出力されたラジオ放送局の周波数に同調した高周波信号を整流し音声信号に変換するための検波回路と検波回路から出力された音声信号を増幅するための増幅回路とを備えてなるラジオ受信回路と、増幅回路から出力された音声信号を音声に変換するためのスピーカーと、ラジオ受信回路が受信中の周波数を表示するためのディスプレイを駆動するためのディスプレイ制御回路と、ラジオ受信回路とディスプレイ制御回路の電源である電池パッケージとを備えている。
また、筐体の外部には、前記ディスプレイと、同調回路が同調するラジオ放送局の周波数を選択するための選局用スイッチと、前記スピーカーの音量を調節するための音量調節スイッチと、を備えているラジオ受信装置である。
筐体の内部は、ラジオ受信装置全体として比重が１未満になるように筐体の内部に空間を備えていることが特徴である。
且つ、電池パッケージは、自然放電することがない空気電池であることが特徴である。
【００２２】
図１および図２は本発明のラジオ受信装置の例を示すものであって、このラジオ受信装置１００はＰＥＴやポリエチレン、ポリオレフィン、ポリプロピレンなどの樹脂フィルムやこれら樹脂フィルムにアルミニウムなどの金属を蒸着させて強度と防湿性を高めた金属蒸着フィルムや紙などで形成された円筒形のキャビネット（または筐体とも言う。）１を備えている。ただし、筐体１の形態は円筒形に限定する必要は無く、一例として挙げている。また前記の金属蒸着フィルムの代わりに、アルミニウム箔などの金属箔と樹脂フィルムを積層したものや、金属箔に樹脂を塗布した構成のものでも良い。ここで、キャビネットとは、ラジオ受信装置１００の外箱であり、特に本発明においては、鉄など比重が大きい材料を使用しない軽量の筐体を指す。そして、このキャビネット１の側曲面２またはキャビネット１の外面には、図１に示すように反射型表示体を表示素子として使ったディスプレイ３が設けられている。
【００２３】
またディスプレイ３の下部には、ラジオ放送局の電波の周波数に同調させるための選局
用スイッチ４および音量を調節するための音量調節用スイッチ５を備えている。
【００２４】
また、キャビネット１には、ラジオ放送の電波より再生した音声を出力するためのフィルムスピーカー７が設けられている。図１は、キャビネット１が円筒形で、その底蓋６にスピーカー７が備えられている例を示している。
【００２５】
そしてこのキャビネット１の内部には、図２に示すように、ラジオ受信回路９とディスプレイ制御回路１０が搭載された本体制御基板１１が組み込まれており、その本体制御基板１１に、フェライトバーアンテナ１２と電池パッケージ８が、それぞれ配線で接続されている。
【００２６】
＜キャビネット＞
本発明のラジオ受信装置のキャビネット１は、防水性が高い材料を使用して密封構造とした。鉄などの比重が大きい材料を使用せず、例えば、防水性が高い紙製の液体用紙容器などの、紙と樹脂からなる複合材料や樹脂を好適に用いて作製することができる。接合部はヒートシールされているため、防水性が確保されている。また、図２に示したようなキャビネット１に形成した開口部である上蓋の開口部１６や通気孔３４は、蓋３５によって開口可能にヒートシールされている。そのため、防水性が高く、且つ軽量なキャビネットを作製可能であると同時に、開口部のシールを容易に剥離できる。
また、樹脂だけからなるキャビネットとしても良い。
このように本発明のラジオ受信装置のキャビネット１は、飲料用の液体用紙容器と同等の密封性や機密性を備えており、水没しても、キャビネット１内に水が進入する可能性は低い。
【００２７】
本発明のラジオ受信装置のキャビネット１の内部には、ラジオ放送を受信するためのアンテナが備えられている。図２ではフェライトバーアンテナ１２が備えられている例を示している。ラジオ放送局の電波がそのアンテナに届かねばならないため、キャビネット１の材料として金属を使用するのは好ましくない。しかしながら、キャビネット１の一部に使用し、ラジオ放送の電波の受信を阻害しない範囲であれば、金属を使用することは可能である。
【００２８】
キャビネット１の内部には、図２に例を示したように、電子部品が実装された小さなプリント基板（本体制御基板１１）と、フェライトバーアンテナ１２と電池パッケージ８が収納されており、それらの体積がキャビネット１の内部で占める割合は小さく、殆どは空間と言って良い状況である。そのため、比重を１より小さく設計することは容易である。
【００２９】
また、キャビネット１の形状は、本実施形態の説明では円筒形の場合について説明するが、この形状に限定する必要はない。軽量で且つラジオ放送の電波が通る材料で作製されていれば、どのような形状でもよい。
【００３０】
＜電池パッケージ＞
次にキャビネット内に収納されている電池パッケージ８について説明する。電池パッケージ８はＰＥＴやポリエチレン、ポリオレフィン、ポリプロピレンなどの樹脂フィルムやこれら樹脂フィルムにアルミニウムなどの金属を蒸着させて強度と防湿性を高めた金属蒸着フィルムを用いて、内部に液体を溜めることが可能な袋状としてある。
【００３１】
この袋の内部は液室１３と電池室１４の２室に分けられている。液室１３の上蓋１５側は、上蓋１５の内側に接着された開口を有しており、そこから、上蓋の開口部１６を介してキャビネット１の外部に通じるようになっており、上蓋の開口部１６からスポイトなどで液体を注入することができるようになっている。ただし、図２に例示したように、保存
中は上蓋の開口１６と筐体１の外部から空気を導入するための通気孔３４は、容易に開封可能な蓋３５によってシールされている。このシールは、例えば紙製の缶の開口部のシール蓋と同様として良い。
【００３２】
また、液室１３には塩化ナトリウムや炭酸水素ナトリウムなどの塩１７が入れてあり、水を注入することで電解液となり、空気電池を作動状態にすることができる。
【００３３】
電池室１４には負極材１８と正極材１９がセパレーター２０を挟んで対向するように配置されており、セパレーター２０の一方の端部は、電池室１４から液室１３に延在して配置されており、液室１３から電解液を電池室内に吸い上げ、負極材１８と正極材１９とをセパレーター２０を介して電解液に接触させることにより電池を形成する役割をもつ。セパレーター２０の材料は例えば、ポリエチレン繊維、ポリプロピレン繊維、ガラス繊維、樹脂不織布、ガラス不織布、濾紙等を用いることができる。
【００３４】
負極材１８は亜鉛、アルミニウム、マグネシウム、リチウムまたはこれらのいずれかを含む合金を用いる事ができる。
【００３５】
正極材１９は空気中の酸素に電子を供給する役割を有しており、正極材１９の材料は導電性を有する材料であれば特に制限されるものではなく、例えば、活性炭、炭素繊維、カーボンフェルトなどの炭素質材料や、鉄、銅などの金属材料等を用いることができる。
【００３６】
電解液は、例えば、負極材１８からマグネシウムイオン（Ｍｇ2+）を溶出させ、正極材１９で空気中の酸素と反応する水（Ｈ2Ｏ）を供給する役割を持つ。
【００３７】
電池パッケージ８の正極材に面した側面は酸素が正極材１９に取り入れられるように気体透過性の膜２１が設けられている。この気体透過性の膜２１の材質としては、水分は透過せず気体のみを透過するポリテトラフルオロエチレン多孔質膜や、セルロースやポリエステル、ポリアミドなどの繊維表面にゴムや撥水性樹脂を皮膜しシート状とした不織布を用いることができる。
【００３８】
以上、本発明のラジオ受信装置１００の電池パッケージ８について説明したが、これに限定する必要はない。例えば、空気電池として、空気亜鉛電池を使用することができる。この場合は、水を電池パッケージに供給する必要はなく、空気透過性の膜２１の部分をキャビネット１の外部に面した形で備え、保存中は空気を遮断しておき、使用する時に、シールを剥がして空気を導入するような形態としても良い。
【００３９】
＜スピーカー＞
続いて、キャビネットの底蓋６に配置したフィルムスピーカー７について説明する。フィルムスピーカー７としては、例えば圧電セラミックスを粘弾性ポリマーに分散させた圧電コンポジット層を平面電極で挟んだ、スピーカー用振動板である富士フィルム社製のＢＥＡＴ（Ｂｅｎｄａｂｌｅ  Ｅｌｅｃｔｒｏ−Ａｃｏｕｓｔｉｃ  Ｔｒａｎｓｄｕｃｅｒ）を円形にし、円錐形の音声拡散板３６に取り付けたものを好適に使用できる。ここで、スピーカー用振動板のＢＥＡＴのみをキャビネットの底蓋６に直接取り付ける構成としても良い。なお、本発明のラジオ受信装置１００としては、例示したフィルムスピーカー７に限定する必要はなく、軽量で、防水性があり、水に濡れても機能的に損なわれることが無いスピーカーであれば、使用することが可能である。防水性が無い場合や不十分な場合は、別途、防水手段を使用して防水性を付与しても良い。
【００４０】
またフィルムスピーカー７は、紙を使用していないため、水に濡れても壊れることはなく、水を除去すれば機能は元に戻る。またフィルムスピーカー７は、キャビネット１の底
蓋６に備えられた音声拡散板３６に接着して使用される。そのため、キャビネットの底蓋６と音声拡散板３６の密封性を確保し、音声拡散板３６とフィルムスピーカー７の密封性を確保することにより、キャビネット１全体の密封性が確保され、本発明のラジオ受信装置１００の密封性と防水性が確保される。
【００４１】
＜アンテナ＞
続いて、図２でアンテナとして例示したキャビネット内に配置したフェライトバーアンテナ１２について説明する。フェライトバーアンテナ１２は、フェライト・ロッド（フェライト製の棒）に高周波特性のよいエナメル撚線であるリッツ線を複数回巻きつけた構成のバーアンテナであり、一般的にＡＭラジオ放送波の受信に用いられるアンテナである。ただし、アンテナとしてはフェライトバーアンテナ１２に限定する必要は無く、ラジオ放送が受信でき、軽量であれば使用可能である。
【００４２】
フェライトバーアンテナ１２は図１に示すようにキャビネット１を横向きに置いた際に、キャビネット１内で最も高くなる位置に、フェライトロッドの中心軸が円筒形のキャビネット１の中心軸と平行となる向きで配置することが望ましい。
【００４３】
＜ディスプレイ＞
図３は本発明のラジオ受信装置のキャビネットの側曲面に配置した、反射型表示体２５を表示素子として使ったディスプレイ３の構成の例を示す断面図である。ＩＴＯなどの透明電極２３が共通電極として形成されたペットフィルムなどの透明フィルム２２と、ポリイミドなどの基材上にセグメント表示用の銅などの金属箔による画素電極２７が形成された表面に光吸収層２６が形成された基材フィルム３０との間に、それぞれ透明電極２３と光吸収層２６を対向させて、ポリマーネットワーク型液晶などの電界の有無で光の透過・反射状態が変化する反射型表示体２５を挟んで積層してある。基材フィルム３０には銅などでメッキされたコンタクトホール２８が備えられており、基材フィルム３０の裏面にある配線電極２９と電気的に接続されている。透明電極２３と配線電極２９に電源から直流電圧を印加すると、電界の有無に応じて反射型表示体２５の透過状態反射状態が変化し、黒または白の表示色となる。
ディスプレイ３の構成材はプラスチックフィルムや金属箔などのため衝撃を与えてもガラスのように割れて飛散することが無く、可撓性を有するため曲面に配置することができる。
【００４４】
また、このディスプレイ３は、必ずしも備えられていなくても良い。選局スイッチ４だけによって、手さぐり的にラジオ放送局の受信周波数をチューニングすることは可能である。
【００４５】
＜ラジオ受信装置の回路構成＞
図４は本発明のラジオ受信装置の回路構成の一例を示すブロック回路図である。同調回路３７と検波回路３１と増幅回路３２を含むラジオ受信回路９とディスプレイ制御回路１０が搭載された本体制御基板１１に、空気電池３３で起電した電力が供給される。フェライトバーアンテナ１２は同調回路３７に接続され、選局用スイッチ４は同調回路３７とディスプレイ制御回路１０に接続されている。音量調節用スイッチ５は増幅回路３２とディスプレイ制御回路１０に接続されている。フィルムスピーカー７は増幅回路３２に接続され、ディプレイ３はディスプレイ制御回路１０に接続されている。音量調節用スイッチ５は、回路的に適正な音量に調整できるようにしておけば、必ずしも備えている構成としなくても良い。
【００４６】
以上、本発明のラジオ受信装置１００は、紙と樹脂との複合材料や樹脂からなる防水性が高いキャビネット１の中に、ラジオ受信機能を備え、電源としては乾電池のように自然
放電しない空気電池を内蔵している。そのため、キャビネット１の内部空間を大きく設計することが可能であるため、水に水没しても沈むことがなく、水に濡れても使用可能なラジオ受信装置となる。また、空気電池を使用しているため、長期保存できるため、電池の定期的交換が不要である。またラジオ受信装置１００は、キャビネットの外側であるキャビネット１の側曲面２に、ラジオ放送の受信周波数を表示可能なディスプレイ３と選局用スイッチ４とを備えているため、チューニングが不十分なため、ラジオ放送の音質が悪い状態で受信することはない。
【符号の説明】
【００４７】
１  キャビネット（筐体）
２  キャビネットの側曲面
３  ディスプレイ
４  選局用スイッチ
５  音量調節用スイッチ
６  キャビネットの底蓋
７  フィルムスピーカー
８  電池パッケージ
９  ラジオ受信回路
１０  ディスプレイ制御回路
１１  本体制御基板
１２  フェライトバーアンテナ
１３  液室
１４  電池室
１５  上蓋
１６  上蓋の開口部
１７  塩
１８  負極材
１９  正極材
２０  セパレーター
２１  気体透過性の膜
２２  透明フィルム
２３  透明電極
２５  反射型表示体
２６  光吸収層
２７  画素電極
２８  コンタクトホール
２９  配線電極
３０  基材フィルム
３１  検波回路
３２  増幅回路
３３  空気電池
３４  通気孔
３５  蓋
３６  音声拡散板
３７  同調回路
１００  ラジオ受信装置
【図１】
2017069798.tif 000003
【図２】
2017069798.tif 000004
【図３】
2017069798.tif 000005
【図４】
2017069798.tif 000006